(57)【特許請求の範囲】
【請求項１】
内視鏡を自動的に洗浄消毒する装置本体内に複数の管路を具備する内視鏡洗浄消毒装置であって、
前記複数の管路を構成する、前記内視鏡が配設される洗浄消毒槽に対し液体を循環させせる循環管路と、
前記複数の管路を構成する、前記洗浄消毒槽内及び前記循環管路内の前記液体を前記装置本体外に排出する第１の排出管路と、
前記第１の排出管路の中途位置に設けられた排出ポンプと、
前記循環管路の中途位置に設けられた、前記液体の流れを可変する可変部材と、
前記複数の管路を構成する、前記可変部材内に貯留された前記液体の残液を排出する第２の排出管路と、
前記第１の排出管路の中途位置において、前記排出ポンプよりも流出側に設けられた、前記第１の排出管路の流路を絞る絞り部を有するとともに、該絞り部により、前記排出ポンプの駆動後、前記流路内に負圧を生じさせて、前記洗浄消毒槽内及び前記循環管路内の前記液体を吸引する吸引部材と、
を具備し、
前記吸引部材は、前記絞り部よりも流出側に前記第２の排出管路が接続されており、前記負圧により、前記第２の排出管路を介して、前記可変部材内に貯留された前記残液をさらに吸引することを特徴とする内視鏡洗浄消毒装置。
【請求項２】
前記第２の排出管路は、前記吸引部材が具備するハウジング部に接続されているとともに、前記ハウジング部に、前記液体を前記第２の排出管路から前記第１の排出管路へと流出させる、前記第２の排出管路が連通された連通空間よりも大径な逆流防止部材が設けられており、
前記逆流防止部材は、前記第１の排出管路の前記吸引部材よりも流出側が塞がれたときのみ、前記ハウジング部内の前記液体の逆流によって、前記連通空間を塞ぐことにより、前記液体が前記第２の排出管路内に逆流するのを防止することを特徴とする請求項１に記載の内視鏡洗浄消毒装置。
【請求項３】
前記第２の排出管路の中途位置に、前記可変部材に貯留された前記液体の残液の排出を吸気により促進する逆止弁が設けられていることを特徴とする請求項１または２に記載の内視鏡洗浄消毒装置。
【請求項４】
前記可変部材は、前記液体の流れを、前記複数の管路の内、一の管路に対する他のいずれかの管路の連通を切り換える機能を有する切換ブロックまたは弁体であることを特徴とする請求項１〜３のいずれかに記載の内視鏡洗浄消毒装置。
【発明の詳細な説明】
【技術分野】
【０００１】
本発明は、内視鏡を自動的に洗浄消毒する装置本体内に複数の管路を具備する内視鏡洗浄消毒装置に関する。
【背景技術】
【０００２】
近年、内視鏡は、医療分野及び工業用分野において広く利用されている。医療分野において用いられる内視鏡は、細長い挿入部を体腔内に挿入することによって、体腔内の臓器を観察したり、必要に応じて内視鏡が具備する処置具の挿通チャンネル内に挿入した処置具を用いて各種処置をしたりすることができる。
【０００３】
医療分野の内視鏡は、特に検査及び治療を目的として体腔内に挿入されて使用されるものであるため、使用後、再度使用するためには洗浄消毒が必要となる。この使用済みの内視鏡を洗浄消毒する方法としては、例えば、内視鏡洗浄消毒装置（以下、単に洗浄消毒装置と称す）を用いて行う方法が周知である。
【０００４】
洗浄消毒装置を用いれば、内視鏡は、洗浄消毒装置の洗浄消毒槽内にセットされるのみで、内視鏡に対して、自動的に、洗浄、消毒、濯ぎ及び水切り等（以下、洗浄消毒工程と称す）を行うことができる。この際、内視鏡は、該内視鏡の外表面のみならず、内視鏡が内部に有する既知の送気送水管路、処置具挿通管路等の複数の管路内も洗浄消毒される。
【０００５】
また、洗浄消毒装置は、上述した洗浄消毒工程を行うため、洗浄消毒槽に対し水道水を供給する給水管路や、洗浄消毒槽に対して洗剤を供給する洗剤管路や、洗浄消毒槽に対して消毒液を供給する薬液管路や、洗浄消毒槽に対して液体を循環させる循環管路や、洗浄消毒槽内の液体を洗浄消毒槽にセットされた内視鏡の各種管路内に供給する用のチャネル管路や、洗浄消毒槽内の消毒液を薬液タンクに回収する薬液回収管路や、洗浄消毒槽内の液体を洗浄消毒装置外に排出する排出管路等の複数の管路を具備している。
【０００６】
さらに、洗浄消毒装置においては、該洗浄消毒装置が具備する各種複数の管路の中途位置に、供給用または排出用のポンプや、液体の流れを複数の管路において切り換える切換ブロックまたは弁体等の可変部材が設けられているのが一般的である。
【０００７】
ここで、内視鏡の洗浄工程、消毒工程、濯ぎ工程終了後は、洗浄消毒装置の洗浄消毒槽や、排出管路や、該排出管路に繋がる各種管路や、該排出管路に繋がる各種管路に介装された可変部材（以下、まとめて排出対象部材と称す）内に液体の残液が残留すると不衛生である他、次に洗浄消毒工程を行う際、残液により洗浄液または消毒液が希釈されてしまい、洗浄液または消毒液を適切な濃度で用いることができない場合があることから、洗浄消毒装置は、各工程終了後は、必ず水切り工程を行うようになっている。具体的には、水切り工程において、排出ポンプを駆動することにより、排出管路を介して自重により、排出対象部材内の液体を、洗浄消毒装置外に排出するようになっている。
【０００８】
また、排出対象部材内の液体をより確実に排出するため、装置本体内において、排出管路や該排出管路に繋がる各種管路を排出口に向けて傾斜するよう設けたり、排出ポンプを通常よりも長く駆動したり、排出対象部材内にエアを送気して残液を押し出したりすることにより、確実に、残液なく液体を洗浄消毒装置外に排出することができる構成を具備する洗浄消毒装置も周知である。
【０００９】
以上説明したような、排出対象部材内の液体を確実に排出する構成を具備する洗浄消毒装置は、例えば特許文献１に開示されている。
【特許文献１】特開２００６−２３９３１３号公報
【発明の開示】
【発明が解決しようとする課題】
【００１０】
しかしながら、特許文献１に開示された洗浄消毒装置においては、排出対象部材内の液体を確実に排出するため、排出ポンプを通常よりも長く駆動したり、エアの送気を行ったりして水切り工程を行うことから、水切り工程にかかる時間が通常よりも長くなってしまうといった問題があった。
【００１１】
さらに、切換ブロックまたは弁体等の可変部材はハウジングを有するため、該ハウジング内は液体が貯留されやすいことから、ハウジング内の残液をも確実に排出するにはより多くの時間を要してしまうといった問題もあった。
【００１２】
本発明の目的は、上記問題点に鑑みてなされたものであり、洗浄工程、消毒工程、または濯ぎ工程終了後、排出対象部材内の液体を、短時間で確実に除去することができる構成を具備する内視鏡洗浄消毒装置を提供することにある。
【課題を解決するための手段】
【００１３】
上記目的を達成するため本発明による内視鏡洗浄消毒装置は、内視鏡を自動的に洗浄消毒する装置本体内に複数の管路を具備する内視鏡洗浄消毒装置であって、前記複数の管路を構成する、前記内視鏡が配設される洗浄消毒槽に対し液体を循環させせる循環管路と、前記複数の管路を構成する、前記洗浄消毒槽内及び前記循環管路内の前記液体を前記装置本体外に排出する第１の排出管路と、前記第１の排出管路の中途位置に設けられた排出ポンプと、前記循環管路の中途位置に設けられた、前記液体の流れを可変する可変部材と、前記複数の管路を構成する、前記可変部材内に貯留された前記液体の残液を排出する第２の排出管路と、前記第１の排出管路の中途位置において、前記排出ポンプよりも流出側に設けられた、前記第１の排出管路の流路を絞る絞り部を有するとともに、該絞り部により、前記排出ポンプの駆動後、前記流路内に負圧を生じさせて、前記洗浄消毒槽内及び前記循環管路内の前記液体を吸引する吸引部材と、を具備し、前記吸引部材は、前記絞り部よりも流出側に前記第２の排出管路が接続されており、前記負圧により、前記第２の排出管路を介して、前記可変部材内に貯留された前記残液をさらに吸引することを特徴とする。
【発明の効果】
【００１４】
本発明によれば、洗浄工程、消毒工程、または濯ぎ工程終了後、排出対象部材内の液体を、短時間で確実に除去することができる構成を具備する内視鏡洗浄消毒装置を提供することができる。
【発明を実施するための最良の形態】
【００１５】
以下、図面を参照して本発明の実施の形態を説明する。  
図１は、本実施の形態を示す内視鏡洗浄消毒装置の斜視図、図２は、図１のトップカバーが開放され、洗浄消毒槽に内視鏡が収納自在な状態を示す内視鏡洗浄消毒装置の斜視図である。
【００１６】
同図に示すように、洗浄消毒装置１は、使用済みの内視鏡１００を洗浄、消毒するための装置であり、装置本体２と、その上部に、例えば図示しない蝶番を介して開閉自在に接続された蓋体であるトップカバー３とにより、主要部が構成されている。
【００１７】
図１に示すように、トップカバー３が、装置本体２に閉じられている状態では、装置本体２とトップカバー３とは、装置本体２及びトップカバー３の互いに対向する位置に配設された、例えばラッチ８により固定される構成となっている。
【００１８】
装置本体２の操作者が近接する図中前面（以下、前面と称す）であって、例えば左半部の上部に、洗剤／アルコールトレー１１が、装置本体２の前方へ引き出し自在に配設されている。
【００１９】
洗剤／アルコールトレー１１には、内視鏡１００を洗浄する際に用いられる液体である洗浄剤が貯留された洗剤タンク１１ａと、洗浄消毒後の内視鏡１００を乾燥する際に用いられる液体であるアルコールが貯留されたアルコールタンク１１ｂとが収納されており、洗剤／アルコールトレー１１が引き出し自在なことにより、各タンク１１ａ、１１ｂに、所定に液体が補充できるようになっている。
【００２０】
尚、洗剤／アルコールトレー１１には、２つの窓部１１ｍが設けられており、該窓部１１ｍにより、各タンク１１ａ、１１ｂに注入されている洗浄剤及びアルコールの残量が操作者によって確認できるようになっている。この洗浄剤は、図示しない給水フィルタにより濾過処理がされた水道水により所定の濃度に希釈される濃縮洗剤である。本実施の形態では、以下の説明において、前記洗浄剤と前記水道水との混合液を洗浄液という。
【００２１】
また、装置本体２の前面であって、例えば右半部の上部に、カセットトレー１２が、装置本体２の前方へ引き出し自在に配設されている。カセットトレー１２には、内視鏡１００を消毒する際に用いる、液体である、例えば過酢酸等の消毒液が注入された薬液ボトル１２ａが収納されており、カセットトレー１２が、引き出し自在なことにより、薬液ボトル１２ａを所定にセットできるようになっている。
【００２２】
さらに、装置本体２の前面であって、カセットトレー１２の上部に、洗浄消毒時間の表示や、消毒液を加温するための指示釦等が配設されたサブ操作パネル１３が配設されている。また、装置本体２の図中前面の下部に、装置本体２の上部に閉じられているトップカバー３を、操作者の踏み込み操作により、図２に示すように、装置本体２の上方に開くためのペダルスイッチ１４が配設されている。
【００２３】
また、図２に示すように、装置本体２の上面の、例えば操作者が近接する前面側の両端寄りに、装置本体２の洗浄、消毒動作スタートスイッチ、及び洗浄、消毒モード選択スイッチ等の設定スイッチ類が配設されたメイン操作パネル２５が設けられている。
【００２４】
また、装置本体２の上面であって、操作者が近接する前面に対向する背面側に、装置本体２に水道水を供給するための、後述する水道蛇口５（図３参照）に接続された後述する給水ホース３１ａ（図３参照）が接続される給水ホース接続口３１が配設されている。尚、給水ホース接続口３１に、水道水を濾過するメッシュフィルタが配設されていてもよい。
【００２５】
さらに、装置本体２の上面の略中央部に、内視鏡収納口をトップカバー３によって開閉される、内視鏡１００が収納自在な洗浄消毒槽４が設けられている。洗浄消毒槽４は、槽本体５０と該槽本体５０の内視鏡収納口の外周縁に連続して周設されたテラス部５１とにより構成されている。
【００２６】
槽本体５０は、使用後の内視鏡１００が洗浄消毒される際、該内視鏡１００が収納自在であり、槽本体５０の槽内の面である底面５０ｔには、槽本体５０に供給された洗浄液、水、アルコール、消毒液等を槽本体５０から排水するとともに、後述する給水循環ノズル２４から槽本体５０に再度上記液体を供給するための第１の排水口５５が設けられている。
【００２７】
また、槽本体５０の槽内の面である周状の側面５０ｓの任意の位置に、槽本体５０に供給された洗浄液、水、消毒液等を、後述する接続チューブ７５（図３参照）を介して内視鏡１００の内部に具備された各管路に供給する循環口５６が設けられている。尚、循環口５６には、洗浄液等を濾過するメッシュフィルタが設けられていても良い。
【００２８】
尚、上述した循環口５６は、槽本体５０の底面５０ｔに設けられていてもよい。循環口５６が槽本体５０の底面５０ｔに設けられていれば、内視鏡１００の各管路への、洗浄液、水、消毒液等の供給タイミングを早めることができる。さらに、ユーザが循環口５６に設けられたメッシュフィルタ等を交換するに際し、底面に設けられていると、操作者がアプローチしやすくなるといった利点がある。
【００２９】
洗浄消毒槽４の槽本体５０には、さらに、図示しない超音波振動子と、ヒータとが配設されており、槽本体５０の底面５０ｔの略中央部に、洗浄ケース６が配設されている。この超音波振動子は、洗浄消毒槽４に貯留される洗浄水、或いは水道水に振動を与えて、内視鏡１００の外表面を超音波洗浄、或いは濯ぐものである。また、ヒータは、洗浄消毒槽４内に貯留される洗浄液、水道水等を所定の温度に加温するためのものである。
【００３０】
洗浄ケース６には、内視鏡１００の各スコープスイッチ等のボタン類等、内視鏡１００に併設されている取り外し可能な部品が収容される。その結果、各ボタン類及び取り外した部品は、内視鏡１００と一緒に洗浄、消毒される。
【００３１】
槽本体５０の側面５０ｓの任意の位置に、槽本体５０に供給された洗浄液、水、消毒液等の水位を検出するカバー付き水位センサ３２が設けられている。  
テラス部５１のテラス面５１ｔ以外の面、即ち槽本体５０の底面５０ｔと平行な面に、槽本体５０に対し、洗剤タンク１１ａから、図示しない洗剤用ポンプにより、水道水により所定の濃度に希釈される洗浄剤を供給するための洗剤ノズル２２及び、後述する薬液タンク５８（図３参照）から、後述する薬液ポンプ６５（図３参照）により、消毒液を供給するための消毒液ノズル２３が配設されている。
【００３２】
さらに、テラス部５１の槽本体５０の底面５０ｔと平行な面に、槽本体５０に対し、給水するための、または槽本体５０の第１の排水口５５から吸引した洗浄液、水、消毒液等を、再度槽本体５０に供給するための給水循環ノズル２４が配設されている。尚、洗剤ノズル２２、消毒液ノズル２３及び給水循環ノズル２４は、テラス面５１ｔに配設されていても良い。
【００３３】
また、テラス部５１のテラス面５１ｔの操作者近接位置４ｋに対向する側の面５１ｆに、内視鏡１００の内部に具備された管路に、洗浄液、水、アルコール、消毒液、またはエア等を供給するための複数、ここでは２つの送気送水／鉗子口用ポート３３と、鉗子起上用ポート３４と、漏水検知用ポート３５とが配設されている。
【００３４】
次に、図３〜図５に基づいて、本実施の形態の洗浄消毒装置１の内部構成の概略について説明する。図３は、図１の内視鏡洗浄消毒装置の内部構成の概略を示す図、図４は、図３の三方弁の内部構成を拡大して示す部分断面図、図５は、図４の三方弁に接続されたドレイン管路に介装されたチェックバルブから吸気を行い、三方弁内の残液を、ドレイン管路を介して排出する様子を示す部分断面図である。
【００３５】
尚、以下に示す説明においては、主要部以外の構成は、周知であることから省略して説明する。
【００３６】
図３に示すように、洗浄消毒装置１は、給水ホース接続口３１に給水ホース３１ａの一端が接続され、この給水ホース３１ａの他端が外部の水道蛇口５に接続されることにより、水道水が供給される構成を有している。
【００３７】
給水ホース接続口３１は、複数の管路を構成する給水管路９ａの一端と連通している。この給水管路９ａは、他端が可変部材である電磁弁から構成された切換ブロック１０に接続されており、給水管路９ａの中途位置において、逆止弁が介装されている。
【００３８】
切換ブロック１０には、給水循環ノズル２４に連通する複数の管路を構成する給水管路９ｂと、複数の管路を構成する液体管路１８の一端とが接続されている。切換ブロック１０は、一の管路である給水管路９ｂに対する他の管路である給水管路９ａと他の管路である液体管路１８との連通を、図示しない内部の弁によって切り換えるものである。
【００３９】
つまり、給水管路９ｂは、切換ブロック１０の切り換え動作により、給水管路９ａと液体管路１８とのいずれか一方と連通する。よって、切換ブロック１０は、洗浄消毒槽４に対する、給水管路９ａを介した水道水と液体管路１８を介した液体Ｍとの供給を切り換えるものである。尚、液体Ｍは、水道水、消毒液、洗浄液、アルコール等から構成されている。また、給水管路９ｂと液体管路１８とは、洗浄消毒槽４に対して液体Ｍを循環させる循環管路を構成している。
【００４０】
また、切換ブロック１０は、内部の弁を保持するハウジングを具備している。尚、ハウジングは、液体Ｍが貯留されやすい部位となっている。これは、給水管路９ｂに対する給水管路９ａと液体管路１８との連通を切り換える際に、切換ブロック１０のハウジングに、残液Ｚが貯留されやすいためである。さらに、切換ブロック１０に、該切換ブロック１０のハウジングに貯留された液体Ｍの残液Ｚを排出する複数の管路を構成する第２の排出管路であるドレイン管路４４の一端が接続されている。
【００４１】
ドレイン管路４４の中途位置であって、切換ブロック１０の近傍に、切換ブロック１０のハウジングに貯留された液体Ｍの残液Ｚの排出を吸気により促進する逆止弁であるチェックバルブ６１が設けられている。
【００４２】
洗浄消毒槽４に配設された循環口５６は、複数の管路を構成するチャンネル管路２１の一端に接続されている。チャンネル管路２１の中途位置に、チャンネルポンプ２６が介装されており、チャンネル管路２１の他端は、各送気送水／鉗子口用ポート３３に連通している（尚、図３においては、各送気送水／鉗子口用ポート３３は１つのみ図示している）。また、図示しないが、チャンネル管路２１の他端は、上述した鉗子起上用ポート３４にも連通している。
【００４３】
このことにより、循環口５６から排出された洗浄消毒槽４内の液体Ｍは、チャンネルポンプ２６の駆動後、チャンネル管路２１により、ポート３３、３４に接続された接続チューブ７５を介して、内視鏡１００内の各管路に供給されるようになっている。
【００４４】
また、チャンネル管路２１には、図示しないが、アルコールタンク１１ｂ内のアルコールを供給する管路等が接続されている。
【００４５】
洗浄消毒槽４の第１の排水口５５には、弁の切り換え動作により、洗浄消毒槽４の外部へ液体Ｍを排出するための開閉自在な切換弁５７が配設されている。
【００４６】
切換弁５７には、複数の管路を構成する液体管路２０の一端が接続されている。尚、液体管路２０は、循環管路を構成しているとともに、洗浄消毒槽４内及び循環管路内の液体Ｍを、装置本体２外へと排出する第１の排出管路を構成している。
【００４７】
液体管路２０の他端は、図４に示すように、例えば三方ボール弁から構成された可変部材を構成する弁体である三方弁１５１に接続されている。三方弁１５１には、薬液タンク５８に連通する複数の管路を構成する薬液回収管路６９と、複数の管路を構成する液体管路１９の一端とが接続されており、一の管路である液体管路２０に対する他の管路である薬液回収管路６９と他の管路である液体管路１９との連通を、内部のモータ７８により切換自在なボール弁７７によって切り換えるものである。
【００４８】
つまり、液体管路２０は、三方弁１５１の切り換え動作により、薬液回収管路６９と液体管路１９とのいずれか一方と連通する。よって、三方弁１５１は、洗浄消毒槽４から液体管路２０を介して排出された消毒液Ｓを、薬液タンク５８内に回収するか、装置本体２外に排出するかを切り換える弁である。尚、液体管路１９は、循環管路及び第１の排出管路を構成している。
【００４９】
また、三方弁１５１は、図４に示すように、内部のボール弁７７を保持するハウジング１５１ｈを具備しており、該ハウジング１５１ｈとボール弁７７との間の隙間７９は、液体Ｍが貯留されやすい部位となっている。これは、液体管路２０に対し、液体管路１９と薬液回収管路６９との連通を切り換える際に、ハウジング１５１ｈの隙間７９に、残液Ｚが貯留されやすいためである。
【００５０】
さらに、三方弁１５１に、該三方弁１５１の隙間７９に貯留された液体Ｍの残液Ｚを排出する複数の管路を構成する第２の排出管路であるドレイン管路４６の一端が接続されている。
【００５１】
図４に示すように、ドレイン管路４６の中途位置であって、三方弁１５１の近傍に、三方弁１５１の隙間７９に貯留された液体Ｍの残液Ｚの排出を吸気により促進する逆止弁であるチェックバルブ６３が設けられている。
【００５２】
ここで、ボール弁７７により、液体管路２０に対して液体管路１９と薬液回収管路６９とのいずれかが連通している際には、三方弁１５１内にエアＥが吸引し難くなることから、三方弁１５１内及びドレイン管路４６内が真空状態となり、隙間７９の残液を、後述する排出ブロック１２０の吸引及び残液Ｚの自重により、ドレイン管路４６を介して排出し難くなっている。
【００５３】
しかしながら、ドレイン管路４６の中途位置にチェックバルブ６３が設けられていることにより、液体管路２０に対して液体管路１９と薬液回収管路６９とのいずれかが連通していたとしても、ドレイン管路４６を介して残液Ｚを排出する際、図５に示すように、ドレイン管路４６内にエアＥを導入することが可能となることから、隙間７９内の残液Ｚは、後述する排出ブロック１２０の吸引及び残液Ｚの自重により、ドレイン管路４６を介して排出しやすくなる。
【００５４】
尚、チェックバルブ６３は、図５の点線に示すように、三方弁１５１の隙間７９に連通するよう設けられていても構わない。
【００５５】
薬液タンク５８は、薬液ボトル１２ａからの消毒液が供給されるように、薬液ボトル１２ａに一端が接続された図示しない管路の他端が接続されている。また、薬液タンク５８内に、複数の管路を構成する薬液管路６４の一端の吸い込み口６４ｋが開口されており、薬液管路６４の他端は、消毒液ノズル２３に接続されている。また、薬液管路６４の中途位置に、薬液タンク５８内の消毒液Ｓを、消毒液ノズル２３へと持ち上げる用の薬液ポンプ６５が介装されている。
【００５６】
液体管路１９の他端は、例えば三方ボール弁から構成された可変部材を構成する弁体である三方弁１５２に接続されている。また、液体管路１９の中途位置に、排出ポンプ６０が介装されている。
【００５７】
三方弁１５２には、図４に示すように、複数の管路を構成する排出管路５９ａの一端と、液体管路１８の他端とが接続されており、一の管路である液体管路１９に対する他の管路である排出管路５９ａと他の管路である液体管路１８との連通を、内部のボール弁７７によって切り換えるものである。尚、三方弁１５２は、上述した三方弁１５１と同様の構成を有している。
【００５８】
つまり、液体管路１９は、三方弁１５２の切り換え動作により、排出管路５９ａと液体管路１８とのいずれか一方と連通する。よって、三方弁１５２は、洗浄消毒槽４から液体管路２０、１９を介して排出された液体Ｍを、排出管路５９ａを介して装置本体２外に排出するか、液体管路１８を介して、給水循環ノズル２４から再度洗浄消毒槽４に供給するかを切り換える弁である。尚、排出管路５９ａは、第１の排出管路を構成している。
【００５９】
また、三方弁１５２は、三方弁１５１同様、内部のボール弁７７を保持するハウジング１５２ｈを具備しており、該ハウジング１５２ｈとボール弁７７との隙間７９は、液体Ｍが貯留されやすい部位となっている。これは、液体管路１９に対し、液体管路１８と排出管路５９ａとの連通を切り換える際に、ハウジング１５２ｈの隙間７９に、残液Ｚが貯留されやすいためである。
【００６０】
さらに、三方弁１５２に、該三方弁１５２の隙間７９に貯留された液体Ｍの残液を排出する複数の管路を構成する第２の排出管路であるドレイン管路４５の一端が接続されている。
【００６１】
ドレイン管路４５の中途位置であって、三方弁１５２の近傍に、三方弁１５２の隙間７９に貯留された液体Ｍの残液Ｚの排出を吸気により促進する逆止弁であるチェックバルブ６２が設けられている。
【００６２】
ここで、ボール弁７７により、液体管路１９に対して液体管路１８と排出管路５９ａとのいずれかが連通している際には、三方弁１５２内にエアＥが吸引し難くなることから、三方弁１５２内及びドレイン管路４５内が真空状態となり、隙間７９の残液Ｚを、後述する排出ブロック１２０の吸引及び残液Ｚの自重により、ドレイン管路４５を介して排出し難くなっている。
【００６３】
しかしながら、図５に示すように、ドレイン管路４５の中途位置にチェックバルブ６２が設けられていることにより、液体管路１９に対して液体管路１８と排出管路５９ａとのいずれかが連通していたとしても、ドレイン管路４５を介して残液Ｚを排出する際、ドレイン管路４５内にエアＥを導入することが可能となることから、隙間７９内の残液Ｚは、後述する排出ブロック１２０の吸引及び残液Ｚの自重により、ドレイン管路４５を介して排出しやすくなる。
【００６４】
尚、チェックバルブ６２は、三方弁１５２であっても、図５の点線に示すように、隙間７９に連通するよう設けられていても構わない。
【００６５】
排出管路５９ａの中途位置であって、装置本体２の高さ方向の最下部に、吸引部材である排出ブロック１２０が介装されており、該排出ブロック１２０に、各ドレイン管路４４、４５、４６の他端が接続されている。尚、以下、図６〜図８を用いて吸引部材１２０の構成について説明する。
【００６６】
図６は、図３の排出ブロックを拡大して示す部分断面図、図７は、図６の排出ブロックの第３の空間を、逆流防止部材とともに上方側からみて示す図、図８は、図６の逆流防止部材が排出ブロックの第２の空間を塞いでいる状態を示す部分断面図である。
【００６７】
図６に示すように、排出ブロック１２０は、ハウジング部１２０ｈを具備しており、該ハウジング部１２０ｈは、第１の空間１２１ｒ１、第２の空間１２１ｒ２、第３の空間１２１ｒ３、第４の空間１２１ｒ４、第５の空間１２１ｒ５を有している。
【００６８】
詳しくは、第１の空間１２１ｒ１に、３本のドレイン管路４４〜４６の他端が接続されており、第１の空間１２１ｒ１の高さ方向の底部側には、連通空間である第２の空間１２１ｒ２を介して、第３の空間１２１ｒ３が形成されている。
【００６９】
第３の空間１２１ｒ３の高さ方向底部側の第５の空間１２１ｒ５に、排出管路５９ａの他端が接続されており、第２の空間１２１ｒ５の排出方向Ｈの先端側には、第２の空間１２１ｒ５の流路を絞る絞り部１２２が形成されている。即ち、第２の空間１２１ｒ５は、アスピレータ形状を有している。
【００７０】
絞り部１２２は、排出ポンプ６０を駆動して、洗浄消毒槽４内の液体Ｍを、第１の排出管路を構成する液体管路２０、１９、排出管路５９ａ、後述する排出管路５９ｂを介して、装置本体２外に排出する際、各第１の排出管路内の流路に負圧を生じさせて、洗浄消毒槽４内及び各管路２０、１９、５９ａ内の液体Ｍを吸引するために形成されたものである。
【００７１】
排出ブロック１２０において、第５の空間１２１ｒ５の排出方向Ｈの先端側、即ち、流出側に、第５の空間１２１ｒ５に連通する第４の空間１２１ｒ４が形成されており、第４の空間に、複数の管路及び第１の排出管路を構成する排出管路５９ｂが接続されている。
【００７２】
第４の空間１２１ｒ４の高さ方向上部に、該第４の空間１２１ｒ４に連通する第３の空間１２１ｒ３が形成されている。このことにより、排出ポンプ６０駆動後、絞り部１２２によって生じた負圧により、切換ブロック１０及び各三方弁１５１、１５２内の残液Ｚは、各ドレイン管路４４〜４６内、第１の空間１２１ｒ１〜第３の空間１２１ｒ３を介して、第４の空間１２１ｒ４に吸引され、その後、排出管路５９ｂから排出される。
【００７３】
尚、排出ブロック１２０を設けない場合、即ち、各ドレイン管路４４〜４６が、単に第１の排出管路１９、２０、５９ａ、５９ｂに接続されている場合は、切換ブロック１０及び各三方弁１５１、１５２内の残液Ｚは、該残液Ｚの自重のみで排出されるため、残液Ｚが確実に排出されるとは限らないが、本実施の形態においては、排出ブロック１２０により吸引することから、切換ブロック１０及び各三方弁１５１、１５２内の残液Ｚは、各ドレイン管路４４〜４６を介して確実に排出される構成となっている。
【００７４】
第３の空間１２１ｒ３の底部には、高さ方向上方に延出する、図７に示すように、例えば４本の爪部１２３が形成されており、該４本の爪部１２３に、逆流防止部材であるボール１２４が載置されている。よって、ボール１２４と、第３の空間１２１ｒ３の底部との間には、第２の空間１２１ｒ２からの残液Ｚが、第４の空間１２１ｒ４に流れるよう、隙間１２５が形成されている。
【００７５】
ボール１２４は、第２の空間１２１ｒ２の流路よりも大径に形成されている。これは、図８に示すように、第１の排出管路において、排出ブロック１２０よりも流出側に設けられた排出管路５９ｂの流路が、例えば異物２００によって塞がれてしまった際、洗浄消毒槽４から排出された液体Ｍが、第３の空間１２１ｒ３内に逆流してしまい、第２の空間１２１ｒ２、第１の空間１２１ｒ１を介して、各ドレイン管路４４〜４６内に逆流してしまうことを、第３の空間１２１ｒ３における逆流により、ボール１２４が爪部１２３から持ち上げられ、第２の空間１２１ｒ２を塞ぐことによって防止するためである。
【００７６】
次に、以上のように構成された本実施の形態の作用について説明する。  
尚、洗浄消毒装置１の作用は、濯ぎ後の水切り工程の作用を例に挙げて説明する。尚、その他の装置本体２内の各管路内の洗浄消毒する際の作用や、内視鏡１００の外表面及び内視鏡１００が具備する内視鏡管路内を洗浄消毒する際の作用は、周知であるため、その説明は省略する。
【００７７】
先ず、ユーザにより、メイン操作パネル２５の所定のボタン操作がなされると、水抜き工程が実行される。
【００７８】
具体的には、先ず、切換ブロック１０によって、液体管路１８と給水管路９ｂとが連通するよう切り換えられ、三方弁１５１により、液体管路２０と液体管路１９とが連通するよう切り換えられ、さらに、三方弁１５２により、液体管路１９と排出管路５９ａとが連通するよう切り換えられた後、切換弁５７が開成され、排出ポンプ６０が駆動される。
【００７９】
その結果、洗浄消毒槽４内の濯ぎ水は、液体管路２０、１９、排出管路５９ａ、排出ブロック１２０の第５の空間１２１ｒ５、第４の空間１２１ｒ４を介して、排出管路５９ｂから装置本体２外に排出される。
【００８０】
この際、排出ブロック１２０の第４の空間１２１ｒ４に、上述した絞り部１２２が形成されていることから、絞り部１２２により、第１の排出管路２０、１９、５９ａ、５９ｂ内の流路に負圧を生じさせて、該負圧を用いて、洗浄消毒槽４及び各管路２０、１９、５９ａ内の濯ぎ水が吸引されることにより、各管路内に濯ぎ水が残液することなく、濯ぎ水は、排出管路５９ｂから確実に排出される。
【００８１】
また、上述したように、切換ブロック１０、三方弁１５１、１５２内には、濯ぎ水の残液Ｚが貯留しやすくなっているが、各ドレイン管路４４〜４６に、吸気用のチェックバルブ６１〜６３が介装されているとともに、各ドレイン管路４４〜４６の他端は、排出ブロック１２０の第１の空間１２１ｒ１〜第３の空間１２１ｒ３を介して、第５の空間１２１ｒ５の絞り部１２２によりも流出側に設けられた第４の空間１２１ｒ４に連通していることにより、切換ブロック１０、三方弁１５１、１５２内の残液Ｚは、各チェックバルブ６１〜６３からの吸気による残液Ｚの自重及び絞り部１２２による負圧により、各ドレイン管路４４〜４６を介して、確実に、排出ブロック１２０に吸引され、排出管路５９ｂから排出される。
【００８２】
尚、この濯ぎ水の水抜きにおいて、図８に示すように、仮に、排出管路５９ｂの流路が異物２００により塞がれてしまったとしても、洗浄消毒槽４から、各管路２０、１９、５９ａ、排出ブロック１２０の各空間１２１ｒ５、１２１ｒ４を介して排出された濯ぎ水は、第３の空間１２１ｒ３には逆流するが、該逆流により、ボール１２４が、第２の空間１２１ｒ２の流路を塞ぐため、各ドレイン管路４４〜４６に逆流してしまうことがない。
【００８３】
洗浄消毒槽４及び第１の排出管路２０、１９、５９ａ内の濯ぎ水を排出した後、三方弁１５２のボール弁７７を、液体管路１８と排出管路５９ａとが連通するよう切り換える。その結果、給水管路９ｂ、液体管路１８内の濯ぎ水は、自重及び排出ブロック１２０の吸引により、排出管路５９ａ、５９ｂを介して、確実に装置本体２外に排出される。
【００８４】
尚、以上のことは、濯ぎ水に限らず、洗浄液、消毒液を排出する場合であっても同様である。
【００８５】
このように、本実施の形態においては、第１の排出管路２０、１９、５９ａ、５９ｂの中途位置において、排出ポンプ６０よりも流出側に排出ブロック１２０を設け、該排出ブロック１２０内に形成された第１の排出管路の流路を絞る絞り部１２２による負圧によって、洗浄消毒槽４、及び各管路１８、９ｂ、２０、１９、５９ａ内の液体Ｍを確実に吸引して排出するとともに、排出ブロック１２０に接続された各ドレイン管路４４〜４６を介して、切換ブロック１０及び三方弁１５１、１５２内の液体Ｍの残液Ｚを確実に吸引して排出すると示した。
【００８６】
また、本実施の形態においては、各ドレイン管路４４〜４６の中途位置に、それぞれチェックバルブ６１〜６３を設けると示した。
【００８７】
このことによれば、排出ブロック１２０の絞り部１２２による負圧により、排出ポンプ６０を通常よりも長く駆動したり、水切り工程後、各管路内にエアを送気したりしなくとも、確実に、残液なく、各管路１８、９ｂ、２０、１９、５９ａ、洗浄消毒槽４、切換ブロック１０、三方弁１５１、１５２からなる排出対象部材内の液体Ｍを装置本体２外に排出することができる。
【００８８】
また、切換ブロック１０、三方弁１５１、１５２により、各管路が連通し、密閉状態となっている場合であっても、各チェックバルブ６１〜６３によって吸気を行うことができることから、切換ブロック１０、三方弁１５１、１５２内の残液Ｚを、より確実に、排出ブロック１２０によって吸引することができる。
【００８９】
さらに、本実施の形態においては、排出ブロック１２０の第３の空間１２１ｒ３内に設けられたボール１２４は、第２の空間１２１ｒ２の流路径よりも大径に形成されているため、排出管路５９ｂに異物２００が詰まり、液体Ｍが逆流した際、ボール１２４が、第２の空間１２１ｒ２の流路を塞ぐことから、逆流した液体Ｍが、各ドレイン管路４４〜４６に逆流してしまうことがない。
【００９０】
以上から、排出対象部材内の液体Ｍを、短時間で確実に除去することができる構成を具備する洗浄消毒装置１を提供することができる。
【００９１】
尚、本実施の形態においては、液体Ｍが残液されやすい可変部材として、三方弁１５１、１５２、切換ブロック１０を例に挙げて示したが、液体Ｍは、排出ポンプ６０にも残液しやすい。よって、排出ポンプ６０から排出ブロック１２０に繋がるドレイン管路を別途設け、排出ポンプ６０の残液を、排出ブロック１２０から吸引しても良いことは勿論である。また、この場合であっても、ドレイン管路に、チェックバルブが設けられているとよい。
【００９２】
また、以下、別の変形例を、図２２を用いて示す。図２２は、図１の内視鏡洗浄消毒装置の内部構成の変形例の概略を示す図である。
【００９３】
本実施の形態においては、洗浄消毒槽４の第１の排水口から排出された液体は、第１の排出管路２０、１９、５９ａ、５９ｂを介して装置本体２外に排出されるか、循環管路、２０、１９、１８、９ｂを介して再度、洗浄消毒槽４に供給されると示した。即ち、液体管路２０、液体管路１９は、三方弁ユニット１５１、１５２により、第１の排出管路と循環管路とを兼ねていると示した。
【００９４】
これに限らず、装置本体２内において、第１の排出管路と循環管路とが別々に設けられていても構わない。詳しくは、図２２に示すように、本構成においては、切換弁５７は、三方切換弁から構成されており、切換弁５７には、薬液回収管路６９と、排出管路５９ａと、循環管路１８０との各一端が接続されている。
【００９５】
薬液回収管路６９の他端は、薬液タンク５８に開口している。よって、切換弁５７が薬液回収管路６９に連通するように切換られると、洗浄消毒槽中の消毒液Ｓは、薬液回収管路を介して、薬液タンク５８に回収される。
【００９６】
また、排出管路５９ａの他端は、上述した排出ブロック１２０に接続されている。尚、排出管路５９ａの中途位置には、上述した排出ポンプ６０が介装されている。よって、よって、切換弁５７が排出管路５９ａに連通するように切換られた後、排出ポンプ６０が駆動されると、洗浄消毒槽４中の液体Ｍは、排出管路５９ａ、排出ブロック１２０、排出管路５９ｂを介して、装置本体２外に排出される。
【００９７】
また、循環管路１８０の他端は、切換ブロック１０に接続されており、循環管路１８０の中途位置には、循環用ポンプ１６０が介装されている。よって、切換弁５７が循環管路１８０に連通するように切換られた後、循環用ポンプ１６０が駆動されると、洗浄消毒槽４中の液体Ｍは、循環管路１８０、切換ブロック１０、給水管路９ｂを介して、給水循環ノズル２４から再度洗浄消毒槽４に供給される。
【００９８】
尚、その他の構成は、上述した図３に示した構成と同様であるため、その説明は省略する。
【００９９】
このような、図２２に示した構成であっても、排出ブロック１２０の絞り部１２２による負圧により、排出ポンプ６０を通常よりも長く駆動したり、水切り工程後、各管路内にエアを送気したりしなくとも、確実に、残液なく、各管路５９ａ内の液体Ｍを装置本体２外に排出することができる。
【０１００】
また、排出ブロック１２０の絞り部１２２による負圧により、確実に、切換ブロック１０内の液体Ｍを、ドレイン管路４４を介して装置本体２外に排出することができる。尚、その他の効果は、上述した実施の形態と同様である。
【０１０１】
図９は、洗浄消毒槽から液体の排出が終了したことを検知する従来の液体検出センサが洗浄消毒槽に連通する液体管路に設けられた状態を概略的に示す図、図１０は、図９の液体検出センサにより、洗浄消毒槽から液体の排出が終了したことを検知した状態を示す図である。
【０１０２】
ところで、従来、洗浄消毒装置１において、洗浄消毒槽４からの洗浄液、消毒液、濯ぎ水等の液体Ｍの排出を検知する方法としては、洗浄消毒槽４に、異なる高さの液面を検知する２つ以上の液面検知器を設け、該液面検知器によって第１の液面を検知した後、該第１の液面よりも低い第２の液面を検知するまでの時間差を、洗浄消毒装置１の図示しない制御部がカウントすることによって排液予測時間を推定することにより、洗浄消毒槽４からの液体Ｍの排出を検知する手法が周知である。
【０１０３】
しかしながら、この手法では、制御部に排液予測時間をカウントするソフトを組み込まなければならないことから、洗浄消毒槽４からの液体Ｍの排出の検知に複雑な制御を要するといった問題があった。
【０１０４】
また、図９に示すように、洗浄消毒槽４に連通する上述した液体管路２０に、静電容量式の液体検出センサ９０を設け、図１０に示すように、液体Ｍの水位が液体検出センサ９０よりも下がったときに、液体検出センサ９０が液体Ｍに非接触で水位の変化を検知することにより、洗浄消毒槽４からの液体Ｍの排出を検知する手法も周知である。
【０１０５】
さらに、液体管路２０を透明部材から構成するとともに、液体管路２０に光検知センサを設け、液体Ｍが液体管路２０を流れる際の、光検知センサによる液体管路２０からの光の反射を利用して、洗浄消毒槽４からの液体Ｍの排出を検知する手法も周知である。
【０１０６】
しかしながら、これらの手法では、高価な液体検出センサ９０や光検知センサを別途用いることから、洗浄消毒装置１が高コストになってしまう他、各センサは、液体Ｍに対して非接触であることから、液体管路２０に対する液体検出センサ９０や光検知センサの取り付け位置に制約が多くなってしまうといった問題があった。
【０１０７】
よって、以上から、精度良く、洗浄消毒槽４からの液体Ｍの排出完了を、安価かつ容易に検知することができる内視鏡洗浄消毒装置が望まれていた。
【０１０８】
以下、このような問題を解決するための構成を、図１１〜図２１を用いて示す。図１１は、洗浄消毒槽から液体の排出が終了したことを検知する２つの電極が洗浄消毒槽に連通する液体管路に設けられた状態を概略的に示す図、図１２は、図１１の液体管路において、洗浄消毒槽から排出された液体が第１の電極よりも低水位まで排出され、第１の電極と第２の電極とが非導通となった状態を示す図、図１３は、図１１の２つの電極を用いた、洗浄消毒槽からの液体の排出検知方法を示す回路図である。
【０１０９】
また、図１４は、２つの電極を液体管路において同じ側に設けた、従来の電極の配置状態を示す図、図１５は、２つの電極を液体管路において高さ方向に近接して設けた、従来の電極の配置状態を示す図、図１６は、２つの電極を液体管路において高さ方向に互いに離間するとともに上方から見た状態で重畳するよう設けた、従来の電極の配置状態を示す図、図１７は、図１６を、XVII方向からみた液体管路及び電極を示す図である。
【０１１０】
さらに、図１８は、２つの電極を液体管路において、同じ高さにおいて所定距離離間するよう設けた変形例を示す図、図１９は、２つの電極を液体管路において、所定の高さ離間するとともに、異なる側に設けた変形例を示す図、図２０は、２つの電極を液体管路において、同じ高さにおいて上方から見た状態で所定の距離離間するよう設けた変形例を示す図、図２１は、図２０の液体管路及び電極の上面図である。
【０１１１】
図１１に示すように、洗浄消毒槽４に連通する液体管路２０において、第１の電極９１が一方側２０ｉに設けられているとともに、第２の電極９２が、第１の電極９１に接触することなく、第１の電極９１よりも高さ方向下方において、具体的には、図１９に示すように、高さＡ１＝２ｃｍ以上離間する下方において、上方からみた状態で第１の電極９１と平面視した状態で重ならないよう、他方側２０ｔに設けられている。
【０１１２】
第１の電極９１及び第２の電極９２は、消毒液や洗浄液に対して耐液性のある導電部材、例えばステンレスから構成されており、図１３に示すように、第１の電極９１は、ＧＮＤに接続されており、第２の電極９２は、比較器９５に接続されている。尚、比較器９５には、基準電圧（Ｖｒｅｆ）が入力されるようになっている。
【０１１３】
このような構成を用いれば、洗浄消毒槽４から液体管路２０を介して液体Ｍの排液を開始すると、液体Ｍが液体管路２０を流れることにより、図１１に示すように、第１の電極９１と第２の電極９２とは、液体Ｍを介して導通する。この際、比較器９５には、液体Ｍの抵抗分、基準電圧（Ｖｒｅｆ）よりも低い電圧（Ｖin）が入力される（Ｖin ＜Ｖｒｅｆ）。このことにより、洗浄消毒装置１の制御部は、比較器９５からの出力から、洗浄消毒槽４から液体Ｍが排出し始めたことを検知する。
【０１１４】
その後、洗浄消毒槽４からの液体Ｍの排出が終わると、図１２に示すように、液体管路２０において、液体Ｍの水位が、第１の電極９１よりも低くなると、第１の電極９１と第２の電極９２とは非導通状態となる。この際、比較器９５には、基準電圧（Ｖｒｅｆ）よりも高い電圧（Ｖin）が入力される（Ｖin ＞Ｖｒｅｆ）。このことにより、洗浄消毒装置１の制御部は、比較器９５からの出力から、洗浄消毒槽４からの液体Ｍの排出が終了したことを検知する。
【０１１５】
尚、液体管路２０において、第１の電極９１が一方側２０ｉに設けられているとともに、第２の電極９２が、第１の電極９１に接触することなく、第１の電極９１よりも高さ方向下方において、具体的には、図１９に示すように、所定高さＡ１、例えばＡ１＝２ｃｍ以上離間する下方において、上方からみた状態で第１の電極９１と平面視した状態で重ならないよう、他方側２０ｔに設けられているのは、図１４に示すように、第１の電極９１と第２の電極９２とが、同じ側、例えば一方側２０ｉに設けられていると、液体管路２０において、液体Ｍが、第２の電極９２よりも低水位まで排出されたとしても、一方側２０ｉの側面を伝う残流Ｐによって、第１の電極９１と第２の電極９２とが導通してしまい、洗浄消毒槽４からの排液が完了しているにも関わらず、未排液であると、制御部が誤検知してしまう場合があるためである。
【０１１６】
また、図１５に示すように、第１の電極９１と第２の電極９２とが異なる側に設けられていたとしても、高さ方向において、第１の電極９１と第２の電極９２とを、例えば２ｃｍ以内に近接して設けると、矢張り、液体管路２０において、液体Ｍが、第２の電極９２よりも低水位まで排出されたとしても、第１の電極９１及び第２の電極９２の各対向面における表面張力による残流Ｐによって、第１の電極９１と第２の電極９２とが導通してしまい、洗浄消毒槽４からの排液が完了しているにも関わらず、未排液であると、制御部が誤検知してしまう場合があるためである。
【０１１７】
さらに、図１６に示すように、第１の電極９１と第２の電極９２とが異なる側に設けられており、高さ方向に離間して設けられていたとしても、図１６、図１７に示すように、上方から見た状態で、第１の電極９１と第２の電極９２とが重畳していると、液体管路２０を液体Ｍが流れている最中に、本来であれば、第１の電極９１と第２の電極９２とが導通しなくてはならないはずが、第１の電極９１が第２の電極９２の傘となってしまい、第１の電極９１に当たった液体Ｍが飛散し、第１の電極９１と第２の電極９２とが非導通となった結果、洗浄消毒槽４から排液中であるにも関わらず、排液が完了したものと、制御部が誤検知してしまう場合があるためである。
【０１１８】
尚、図１８に示すように、液体管路２０に対し、第１の電極９１と第２の電極９２とが同じ高さに設けられていたとしても、第１の電極９１と第２の電極９２とが異なる側に設けられており、第１の電極９１と第２の電極９２とが、一方側２０ｉと他方側２０ｔとを結ぶ方向Ｖにおいて、所定距離Ａ２、例えばＡ２＝１ｃｍ以上離間して設けられておれば、液体Ｍが各電極９１よりも低水位まで排出された際、残流Ｐにより、各電極９１、９２間を導通させてしまうことがない。
【０１１９】
また、図２０、図２１に示すように、液体管路２０に対し、第１の電極９１と第２の電極９２とが同じ高さに設けられており、一方側２０ｉと他方側２０ｔとを結ぶ方向Ｖにおいて近接して設けられていたとしても、第１の電極９１と第２の電極９２とが異なる側に設けられており、上方からみた状態で、高さ方向及び方向Ｖに直交する方向Ｋに所定距離、例えば１ｃｍ以上離間して設けられておれば、液体Ｍが各電極９１よりも低水位まで排出された際、残流Ｐにより、各電極９１、９２間を導通させてしまうことがない。
【０１２０】
以上、図１１、図１８〜図２１に示したように、液体管路２０に２つの電極９１、９２が設けられていれば、各電極９１、９２は、液体Ｍと接触することから、従来と比べ、配置位置を工夫するのみで、液体管路２０に対する２つの電極９１、９２の取り付け位置の制限が少なくなるため、汎用性が高まる。
【０１２１】
また、ステンレス等の導電性部材からなる電極により、洗浄消毒槽４からの排出完了の検知を行うことから、検知に、高価な液体検出センサや光検知センサを別途用いる必要がないため、安価に、洗浄消毒槽４からの液体Ｍの排出検知を行うことができる。
【０１２２】
さらに、２つの電極９１、９２を用いて、液体管路２０内において、直接液体Ｍを検知することにより、高精度な液体Ｍの排出検知が可能となるとともに、排出時間のカウント等を行う必要がなくなることから、制御部に、排液予測時間をカウントするソフトを組み込む必要がなくなる。
【０１２３】
以上から、精度良く、洗浄消毒槽４からの液体Ｍの排出完了を、安価かつ容易に検知することができる内視鏡洗浄消毒装置を提供することができる。
【図面の簡単な説明】
【０１２４】
【図１】本実施の形態を示す内視鏡洗浄消毒装置の斜視図。
【図２】図１のトップカバーが開放され、洗浄消毒槽に内視鏡が収納自在な状態を示す内視鏡洗浄消毒装置の斜視図。
【図３】図１の内視鏡洗浄消毒装置の内部構成の概略を示す図。
【図４】図３の三方弁の内部構成を拡大して示す部分断面図。
【図５】図４の三方弁に接続されたドレイン管路に介装されたチェックバルブから吸気を行い、三方弁内の残液を、ドレイン管路を介して排出する様子を示す部分断面図。
【図６】図３の排出ブロックを拡大して示す部分断面図。
【図７】図６の排出ブロックの第３の空間を、逆流防止部材とともに上方側からみて示す図。
【図８】図６の逆流防止部材が排出ブロックの第２の空間を塞いでいる状態を示す部分断面図。
【図９】洗浄消毒槽から液体の排出が終了したことを検知する従来の液体検出センサが洗浄消毒槽に連通する液体管路に設けられた状態を概略的に示す図。
【図１０】図９の液体検出センサにより、洗浄消毒槽から液体の排出が終了したことを検知した状態を示す図。
【図１１】洗浄消毒槽から液体の排出が終了したことを検知する２つの電極が洗浄消毒槽に連通する液体管路に設けられた状態を概略的に示す図。
【図１２】図１１の液体管路において、洗浄消毒槽から排出された液体が第１の電極よりも低水位まで排出され、第１の電極と第２の電極とが非導通となった状態を示す図。
【図１３】図１１の２つの電極を用いた、洗浄消毒槽からの液体の排出検知方法を示す回路図。
【図１４】２つの電極を液体管路において同じ側に設けた、従来の電極の配置状態を示す図。
【図１５】２つの電極を液体管路において高さ方向に近接して設けた、従来の電極の配置状態を示す図。
【図１６】２つの電極を液体管路において高さ方向に互いに離間するとともに上方から見た状態で重畳するよう設けた、従来の電極の配置状態を示す図。
【図１７】図１６を、XVII方向からみた液体管路及び電極を示す図。
【図１８】２つの電極を液体管路において、同じ高さにおいて所定距離離間するよう設けた変形例を示す図。
【図１９】２つの電極を液体管路において、所定の高さ離間するとともに、異なる側に設けた変形例を示す図。
【図２０】２つの電極を液体管路において、同じ高さにおいて上方から見た状態で所定の距離離間するよう設けた変形例を示す図。
【図２１】図２０の液体管路及び電極の上面図。
【図２２】図１の内視鏡洗浄消毒装置の内部構成の変形例の概略を示す図。
【符号の説明】
【０１２５】
１…洗浄消毒装置（内視鏡洗浄消毒装置）
２…装置本体
４…洗浄消毒槽
９ａ…給水管路（他の管路）
９ｂ…給水管路（循環管路）、（一の管路）
１０…切換ブロック（可変部材）
１８…液体管路（循環管路）、（他の管路）
１９…液体管路（循環管路）、（第１の排出管路）、（一の管路）、（他の管路）
２０…液体管路（循環管路）、（第１の排出管路）、（一の管路）
２１…チャンネル管路
４４…ドレイン管路（第２の排出管路）
４５…ドレイン管路（第２の排出管路）
４６…ドレイン管路（第２の排出管路）
５９ａ…排出管路（第１の排出管路）、（他の管路）
５９ｂ…排出管路（第１の排出管路）
６０…排出ポンプ
６１…チェックバルブ（逆止弁）
６２…チェックバルブ（逆止弁）
６３…チェックバルブ（逆止弁）
６４…薬液管路
６９…薬液回収管路、（他の管路）
１００…内視鏡
１２０…排出ブロック（吸引部材）
１２０ｈ…ハウジング部
１２１ｒ２…第２の空間（連通空間）
１２２…絞り部
１２４…ボール（逆流防止部材）
１５１…三方弁（可変部材）、（弁体）
１５２…三方弁（可変部材）、（弁体）
１６０…循環用ポンプ
１８０…循環管路
Ｍ…液体
【図１】
0005014954.tif 000002
【図２】
0005014954.tif 000003
【図３】
0005014954.tif 000004
【図４】
0005014954.tif 000005
【図５】
0005014954.tif 000006
【図６】
0005014954.tif 000007
【図７】
0005014954.tif 000008
【図８】
0005014954.tif 000009
【図９】
0005014954.tif 000010
【図１０】
0005014954.tif 000011
【図１１】
0005014954.tif 000012
【図１２】
0005014954.tif 000013
【図１３】
0005014954.tif 000014
【図１４】
0005014954.tif 000015
【図１５】
0005014954.tif 000016
【図１６】
0005014954.tif 000017
【図１７】
0005014954.tif 000018
【図１８】
0005014954.tif 000019
【図１９】
0005014954.tif 000020
【図２０】
0005014954.tif 000021
【図２１】
0005014954.tif 000022
【図２２】
0005014954.tif 000023